【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
当該空気調和機の本体内に設けられ、熱交換器を通過した空気を前記本体の吹き出し口へ導くファンケーシングと、
このファンケーシングに収納され、前記空気を送風するクロスフローファンと、
このクロスフローファンに軸を介して連結され、当該クロスフローファンを駆動するモータと、
このモータと前記クロスフローファンとを隔てる前記ファンケーシングの側板に設けられ、前記軸が貫通する軸穴部と、
ゴムもしくは軟質プラスチックからなり、前記モータに取り付けられるモータ保持部と、このモータ保持部と接続部を介して連結し、前記側板の方向に広がって延びる円錐状を成した円錐台部と、この円錐台部の終端から前記側板の方向に延び、先端面が前記軸穴部を塞ぐように前記側板に当接する筒部と、が一体に形成された防振部材と、
を備えたことを特徴とする空気調和機。
【請求項２】
前記防振部材は、前記円錐台部が前記接続部および前記筒部よりも薄肉に形成されたことを特徴とする請求項１に記載の空気調和機。
【請求項３】
前記防振部材は、前記円錐台部の途中から前記側板の方向に延び、前記筒部の内側で前記筒部とともに二重で前記軸穴部を塞ぐように先端面が前記側板に当接する内円筒部を備えたことを特徴とする請求項１に記載の空気調和機。
【請求項４】
前記防振部材は、前記モータ保持部と前記円錐台部とを連結する前記接続部を筒状とし、この筒状の接続部を前記円錐台部および前記筒部よりも硬質で厚くしたことを特徴とする請求項１に記載の空気調和機。
【手続補正２】
【補正対象書類名】明細書
【補正対象項目名】発明の名称
【補正方法】変更
【補正の内容】
【発明の名称】空気調和機
【手続補正３】
【補正対象書類名】明細書
【補正対象項目名】０００６
【補正方法】変更
【補正の内容】
【０００６】
この発明は、上記のような課題を解決するためになされたもので、第１の目的はモータの振動を防止しながら、ファンケーシングのモータ軸穴部を確実に密閉し、また、ゴム形状により組立ばらつきを吸収することができ、負圧により軸穴部から風路内部へ湿った空気が侵入し風路内部が結露することを防ぐことができる、さらに風路外部のファンケーシングに付着した結露水が、負圧により軸穴部から風路内部に侵入することを防ぐことができる空気調和機を得るものである。
【手続補正４】
【補正対象書類名】明細書
【補正対象項目名】０００７
【補正方法】変更
【補正の内容】
【０００７】
この発明に係る空気調和機は、当該空気調和機の本体内に設けられ、熱交換器を通過した空気を本体の吹き出し口へ導くファンケーシングと、このファンケーシングに収納され、空気を送風するクロスフローファンと、このクロスフローファンに軸を介して連結され、当該クロスフローファンを駆動するモータと、このモータとクロスフローファンとを隔てるファンケーシングの側板に設けられ、軸が貫通する軸穴部と、ゴムもしくは軟質プラスチックからなり、モータに取り付けられるモータ保持部と、このモータ保持部と接続部を介して連結し、側板の方向に延びる円錐状を成した円錐台部と、この円錐台部の終端から側板の方向に延び、先端面が軸穴部を塞ぐように側板に当接する筒部と、が一体に形成された防振部材と、を備えたものである。
【手続補正５】
【補正対象書類名】明細書
【補正対象項目名】０００８
【補正方法】変更
【補正の内容】
【０００８】
この発明の空気調和機は、当該空気調和機の本体内に設けられ、熱交換器を通過した空気を本体の吹き出し口へ導くファンケーシングと、このファンケーシングに収納され、空気を送風するクロスフローファンと、このクロスフローファンに軸を介して連結され、当該クロスフローファンを駆動するモータと、このモータとクロスフローファンとを隔てるファンケーシングの側板に設けられ、軸が貫通する軸穴部と、ゴムもしくは軟質プラスチックからなり、モータに取り付けられるモータ保持部と、このモータ保持部と接続部を介して連結し、側板の方向に延びる円錐状を成した円錐台部と、この円錐台部の終端から側板の方向に延び、先端面が軸穴部を塞ぐように側板に当接する筒部と、が一体に形成された防振部材と、を備えたので、防振部材が、モータの振動が本体に伝わるのを抑えながら、その形状によりモータと本体の組立上のばらつきを吸収してファンケーシングのモータ軸穴部を確実に塞ぐことで、軸穴部からファンケーシング内へ湿った空気が侵入するを防いでファンケーシング内の結露を防止することができると共に、ファンケーシングに付着した結露水が軸穴部を通ってファンケーシング内に侵入することによる露垂れを防ぐことができるという効果を有する。
【手続補正６】
【補正対象書類名】明細書
【補正対象項目名】００１０
【補正方法】変更
【補正の内容】
【００１０】
なお、前記モータ５の軸５ａはファンケーシング３の側板３ａに設けられた軸穴部３ｂを貫通してネジ等によりファンケーシング３内のクロスフローファン４を固着すると共に、ゴムまたは軟質プラスチックからなり、モータ５の振動伝搬を緩和する防振部材本体６を前記モータ５の軸受け部５ｂに取り付けている。前記防振部材本体６は前記モータ５の軸受け部５ｂに取り付けられるモータ保持部６ａと、振動吸収部６ｂとから構成されている。さらに前記モータ保持部６ａは、保持肉厚部６ｃとこの保持肉厚部６ｃと連続する保持薄肉部６ｄから形成されている。また、前記振動吸収部６ｂは、前記保持薄肉部６ｄと先端接続部６ｅで連結して軸方向に延出した円錐台中肉厚部６ｆと、前記ファンケーシング３の側板３ａに軸方向に圧縮当接して振動を均等に受ける円錐台筒部６ｇとから形状されている。
【手続補正７】
【補正対象書類名】明細書
【補正対象項目名】００１２
【補正方法】変更
【補正の内容】
【００１２】
なお、このとき、モータ保持部６ａのモータ軸受け部５ｂに筒状に取り付けられる防振部材６は、振動吸収部６ｂによりモータ５の振動が本体１に伝わるのを抑えることができ、さらに、防振部材振動吸収部６ｂの円錐台筒部６ｇは、その先端面をファンケーシング３の側板３ａに密着して圧縮当接しているので、前記ファンケーシング３の側板３ａに設けられた軸穴部３ｂを確実に塞ぐことができ、クロスフローファン４の回転によりファンケーシング３内が負圧になっても、ファンケーシング３の軸穴部３ｂからモータ５側の湿った暖かい空気が侵入を防ぎ、熱交換器２を通過した冷たい空気と混合しなくなるため、ファンケーシング３内の結露を防止できる効果がある。
【手続補正８】
【補正対象書類名】明細書
【補正対象項目名】００１３
【補正方法】変更
【補正の内容】
【００１３】
さらに、防振部材６振動吸収部６ｂの円錐台筒部６ｇは、このモータ保持部６ａから軸方向に延出した円錐形状を成し、その先端面がファンケーシング３のケーシング側板３ａに軸方向に圧縮して均等に当接しているので、モータ５と本体１間の組立上のばらつきを吸収することができ、このファンケーシング３の軸穴部３ｂからモータ５側の湿った暖かい空気の侵入を確実に防ぎ、熱交換器２を通過した冷たい空気と混合しなくなるため、ファンケーシング３内の結露を防止できる。また、ファンケーシング３の側板３ａに付着した露がこの側板３ａに設けられた軸穴部３ｂを通ってファンケーシング３内に侵入することも確実に防ぎ、また、組立ばらつきを吸収できるため、組立作業を単純化でき、かつ効率化が図れる効果がある。
【手続補正９】
【補正対象書類名】明細書
【補正対象項目名】００１４
【補正方法】変更
【補正の内容】
【００１４】
以上の実施の形態１では、モータ５の振動伝搬を緩和する防振部材６をゴムまたは軟質プラスチックとし、前記振動吸収部６ｂは、前記保持薄肉部６ｄと先端接続部６ｅで連結して軸方向に延出した円錐台中肉厚部６ｆと、前記ファンケーシング３の側板３ａに軸方向に圧縮当接して振動を均等に受ける円錐台筒部６ｇとから形状されているものであるが、さらに、実施の形態１の他の例では、モータ５の振動を確実に本体１に伝わるのを抑える場合には防振部材６の軸方向に延出した円錐台中肉厚部６ｆを防振部材６の他の部分よりも柔らかくした構成で説明する。